(57)【要約】      （修正有）【課題】プリント基板側面は従来加工中についた溶剤等がしみついた基板の側面はよごれており４辺に溶液がしみこんで、だいぶリークしていた。なので音質、画質はふつうだった。２層基板中心である。【解決手段】絶縁基板１に水平の溝４も設け少し斜めの溝を彫り設け側面にしみついた溶剤等を除去するために「く」の字形の溝２と３を設ける。するとテレビのコントラストが高く、空が青めに見える。基板は彫った分軽量化できる。省スペースで放熱も少し良くなる。アナログＩＣ等にも応用できる。【選択図】図１
0003136145.tif 000002
【実用新案登録請求の範囲】
【請求項１】
プリント基板の側面に水平な溝を設け、これに少し交差する溝も設ける、これを特徴とするプリント基板。
【考案の詳細な説明】
【技術分野】
【０００１】  本考案は、側面に水平な溝と少し斜めの溝を彫ったプリント基板に関するものである。
【背景技術】
【０００２】  従来プリント基板は、パターンの金属箔表面は、いろいろな改善が進んだが、側面はたいした面積をもたないため改善が見落されていた。
【考案の開示】
【考案が解決しようとする課題】
【０００３】  従来プリント基板を切断するのに大きいものは、パンチプレス加工をしていたが破断面が、汚かった。小さなプリント基板は、何個も同じ基板をプレスして一つ一つに分割してから精密加工すると、どちらも側面は絶壁状態だった。【０００４】  切断面が絶壁だと加工の工程にもよるが、接着剤、フラックス、エッチングレジスト、エッチング液、銅粉、ソルダーレジスト液等が側面のせん維に入りこむ。この側面に入りこんだ液体等は、何回水洗してもとれなくなってしまう。【０００５】  そして完成後、製品は長期間使うと電流や熱で側面のせん維にまじり自然劣化で変質し電流のリークがふえる。溶削にゴミがまじるとてにおえない。【０００６】  多層基板だとリークが複雑になる。特に基板側面にリークが多いのでここに処置するとよい。【０００７】  ２層基板の両面を面取りする加工もあるが、基板の面積が増えてしまい小形機器にはむいていない。それに誘電体が増える。
【課題を解決するための手段】
【０００８】  本考案は実装後で最終洗浄の前にプリント基板の側面に必要なだけ水平に近い溝を実装に近い工程で断面をくの字形に彫って、劣化した基板側面をねこそぎ彫り、できたら一周させて劣化部分をなくす考案である。空気は最もコストの低い絶縁体である。【０００９】  そしてパターンぎりぎりに側面の断面を近ずけ溝を彫るので小形軽量化できる。また側面の溝を彫っただけ軽量化できる。【００１０】  また２層基板の側面周辺は電源関係のパターンが多くをしめているため効果的である。そして電源リークが減るためプリント基板の設計する自由度が増える。
【考案の効果】
【００１１】  このプリント基板をブラウン管テレビの高圧部とブラウン管の電子銃についた基板に、この考案を施すと、てきめんに効果が現れる画質は実験したテレビは片面基板の１０インチ形でピッチがあらいが、空が青めに見え、コントラストが強くなり青が強く見える水平解像度は５本から１０本多く見える、なぜか赤色が弱くなる。カセットプレーヤーでは高音がよく聞える、メタルテープは、アジマスが調整やすい。
【考案を実施するための最良の形態】
【００１２】  本考案は、最終洗浄前にプリント基板の側面に必要なだけ水平の溝と水平に近け溝を彫り断面がひらがなの「く」の字形に溝を彫る。【００１３】  溶剤がしみたプリント基板側面をくの字にねこそぎ彫り、汚染部を切除する。できたらこのプリント基板の側面を一周させる。本案は隅は丸めない基板である。【００１４】  側面は溝を彫りコストが低く、その溝の中は最もコストの低い絶縁体としてかわいた空気がある。汚染部位をとった部分が軽量化されて小形機器にもむいている。製品の輸送コストも少しカットでき、本案はコストパフォーマンスも高い。本案はブラウン管テレビの様な高圧部のプリント基板にもむいている。
【実施例１】
【００１５】  以下添付図面に従って一実施例を説明する。１は絶縁基板、２は「く」の字形の溝、３は左右逆の「く」の字形の溝、３は左右逆の「く」の字形の溝、４は水平な溝の低。
【実施例２】
【００１６】  長方形の基板の４辺に溝をほらないでいると、４辺から電流がリークする。多層基板ならリークが復雑になりアナログ信号をあつかうのはあまり関心できない。
【産業上の利用可能性】
【００１７】  本考案は２層プリント基板を中心に、オーディオ、ビデオ、テレビ、デジカメ、コンピュータ、などのデリケートな基板に応用でき。アナログＩＣ等にも応用できる。
【図面の簡単な説明】
【００１８】
【図１】本考案のプリント基板の正面図である
【図２】本プリント基板の側面拡大断面図である。
【符号の説明】
【００１９】１  絶縁基板２  「く」の字形の溝３  左右逆の「く」の字形の溝４  水平溝の底５  彫らなかった側面６  上面部パターン７  下面部パターン８  多数の溝９  半導体
【図１】
0003136145.tif 000003
【図２】
0003136145.tif 000004
【手続補正書】
【提出日】平成19年6月22日(2007.6.22)
【手続補正１】
【補正対象書類名】明細書
【補正対象項目名】０００８
【補正方法】変更
【補正の内容】
【０００８】  本考案は実装後で最終洗浄の前に、プリント基板の側面に水平な溝を設け、これに少し斜めの溝と交差する溝を彫り設ける。これを特徴とするプリント基板。実装に近い工程で、断面をくの字に彫って劣化した基板側面とねこそぎ彫り、できたら一周させて劣化部分をなくす考案である。空気は最もコストの低い絶縁体である。
【手続補正２】
【補正対象書類名】明細書
【補正対象項目名】００１３
【補正方法】変更
【補正の内容】
【００１３】  溶剤がしみたプリント基板側面をくの字にねこそぎ彫って、汚染部位を切除する。できたらこのプリント基板の側面を一周させる。本案の隅は丸めない基板である。
【手続補正３】
【補正対象書類名】明細書
【補正対象項目名】００１８
【補正方法】変更
【補正の内容】
【００１８】
【図１】  本考案のプリント基板の正面図である。
【図２】  本考案の側面拡大断面図である。
【手続補正書】
【提出日】平成19年6月24日(2007.6.24)
【手続補正１】
【補正対象書類名】明細書
【補正対象項目名】全文
【補正方法】変更
【補正の内容】
【考案の詳細な説明】
【技術分野】
【０００１】  本考案は電子機器のプリント基板に関するものである。
【背景技術】
【０００２】  従来プリント基板は、金属箔のパターン表面はいろいろな改善が進んだが、側面はたいした面積もないため改善が見落されていた。
【考案の開示】
【考案が解決しょうとする課題】
【０００３】  従来プリント基板を裁断するのに大きなものではパンチプレス加工をしていたが、破断面が汚かった。小さなプリント基板は分割してから精密加工すると、どちらも側面は絶壁状態だった。
【０００４】  切断面が絶壁だと加工の工程によって異なるが、接着剤、フラックス、エッチングレジスト、エッチング液、金属粉、ソルダーレジスト液、等が側面に入りこむこの入りこんだ液体等は何回水洗してもとれなくなってしまう。
【０００５】  そして完成後、製品は長期間使うと電流や熱で側面のせん維にまじり自然劣化の変質で電流のリークがふえる。
【０００６】両面基板や多層基板だと電流のリークが復雑になる
【課題を解決するための手段】
【０００７】  本考案は実装後で最終洗浄の前に、プリント基板側面に水平の溝を掘進して設けるあるいはプリント基板側面に首部を設けて劣化や劣化予防のため基板側面をねこそぎ劣化部を首部を加工して分離する、ことを特徴とするプリント基板である。できたらこれらの加工を一周施す。
【０００８】  そしてパターンの金属箔ぎりぎりに側面を近ずけ、掘進したり側面を首部に加工するので小形軽量化できる。
【０００９】  また基板が両面基板、多層基板の側面周辺の金属箔パターンは電源関係のパターンが多くをしめているため効果的である。そして電源リークが減るためプリント基板の設計する自由度が増える
【考案の効果】
【００１０】  上述の様に本考案はブラウン管テレビの高圧部とブラウン管の電子銃についた基板に、この考案を施すと、てきめんに効果が現れる画質は実験したテレビは片面基板の１５インチ形でデジタル端子付のテレビで見ると、空が青めに見えＢＳデジタルチューナを接続しても鮮やかで特に弱点はわからない、ＢＳデジタル放送とアナログケーブルテレビの差はあきらかでよくわかる。ＦＭステレオラジオでは音色が良く拍手喝采は炸裂するほどに感じる。デジタルカメラで水平解像度パターンをとって改良前と比較すると、解像度が５本から１０本改善していた。
【考案を実施するための最良の形態】
【００１１】  本考案は最終洗浄工程前にプリント基板の側面に水平の溝を掘進して設ける。あるいはプリント基板の側面に首部を設ける。これらの加工をなるべくプリント基板の側面に一周施すと良い基板になる。本案は隅は丸めない基板である。
【実施例】
【００１２】  以下添付図面に従って一実施例を説明する。１は絶縁基板、２は彫った溝あるいは首部３は彫った溝、４は水平な溝の首部の底。
【図面の簡単な説明】
【００１３】
【図１】本考案のプリント基板の水平の正面図である。
【図２】本考案の首部の側面拡大断面図である。
【符号の説明】
【００１４】１  絶縁基板
２  彫った溝あるいは首部
３  彫った溝
４  水平な溝の首部の底。
５  彫らなかった側面
６  上面部パターン
７  下面部パターン
８  溝の底
９  半当体パッケージ
【手続補正２】
【補正対象書類名】実用新案登録請求の範囲
【補正対象項目名】全文
【補正方法】変更
【補正の内容】
【実用新案登録請求の範囲】
【請求項１】
プリント基板側面に水平の溝を掘進して設けることを特徴とするプリント基板。
【請求項２】
プリント基板側面に首部を設けることを特徴とするプリント基板。
【手続補正３】
【補正対象書類名】図面
【補正対象項目名】全図
【補正方法】変更
【補正の内容】
【図１】
0003136145.tif 000005
【図２】
0003136145.tif 000006